(57)【特許請求の範囲】
【請求項１】
所定方向に延びる光の出射口を有するハウジングと、
上記出射口を閉塞する透明カバー部と、
上記透明カバー部に沿って上記所定方向に延びるように配置され、周面に螺旋状の溝部が形成された回転自在なスクリュー軸と、
上記スクリュー軸の溝部に係合する係合部が形成され、該スクリュー軸が回転することにより該スクリュー軸に沿って所定の移動経路を往復移動するように構成された保持部材と、
上記保持部材に保持され、該保持部材が移動することによって上記透明カバー部の表面を清掃する清掃部材とを備え、
上記保持部材は、上記所定の移動経路の両端部を除く中間部を移動しているときには、上記スクリュー軸に直交する方向の一側端部が他側端部よりも進行方向の前側に位置するように構成されており、
上記所定の移動経路の移動端には、上記保持部材の進行方向前側の面の所定箇所に当接することで、該当接した部分を支点として該保持部材を回転させて、該保持部材の一側端部と他側端部との上記進行方向における位置ずれ量を低減する当接支点部が設けられている、光走査装置。
【請求項２】
所定方向に延びる光の出射口を有するハウジングと、
上記出射口を閉塞する透明カバー部と、
上記透明カバー部に沿って上記所定方向に延びるように配置され、周面に螺旋状の溝部が形成された回転自在なスクリュー軸と、
上記スクリュー軸の溝部に係合する係合部が形成され、該スクリュー軸が回転することにより該スクリュー軸に沿って所定の移動経路を往復移動するように構成された保持部材と、
上記保持部材に保持され、該保持部材が移動することによって上記透明カバー部の表面を清掃する清掃部材とを備え、
上記保持部材は、上記所定の移動経路の両端部を除く中間部を移動しているときには、上記スクリュー軸に直交する方向の一側端部が他側端部よりも進行方向の前側に位置するように構成されており、
上記保持部材の進行方向前側の面における所定箇所には、該保持部材が上記所定の移動経路の移動端に達する際に当該移動端に形成された壁部に当接することで、該当接した部分を支点として該保持部材を回転させて、該保持部材の一側端部と他側端部との上記進行方向における位置ずれ量を低減する当接支点部が設けられている、光走査装置。
【請求項３】
請求項１又は２記載の光走査装置において、
上記所定箇所は、上記スクリュー軸に直交する方向において、上記保持部材の中央位置よりも上記一側に位置している、光走査装置。
【請求項４】
請求項１乃至３のいずれか一項に記載の光走査装置において、
上記所定箇所は、上記スクリュー軸の軸心よりも上記一側に位置している、光走査装置。
【請求項５】
請求項１乃至４のいずれか一項に記載の光走査装置において、
上記当接支点部における被当接部材との当接面は、該被当接部材側に突となる曲面状に形成されている、光走査装置。
【請求項６】
請求項１乃至５のいずれか一項に記載の光走査装置において、
上記出射口は一対一組で設けられおり、該一対の出射口は互いに平行に並んで形成されており、
上記スクリュー軸は、上記一対の出射口の間に設けられ、
上記保持部材は、上記スクリュー軸に外挿されるとともに内周面に上記係合部を有する筒状ナット部と、該筒状ナット部から一方の出射口側に延びて上記清掃部材を保持する第一保持板部と、該筒状ナット部から他方の出射口側に延びて上記清掃部材を保持する第二保持板部とを備え、
上記第一保持板部の基端から先端までの長さは、上記第二保持板部の基端から先端まで長さに比べて短く、
上記一側は上記第一保持板部が位置する側であり、上記他側は上記第二保持板部が位置する側である、光走査装置。
【請求項７】
請求項１乃至６のいずれか一項に記載の光走査装置を備えた画像形成装置。
【発明の詳細な説明】
【技術分野】
【０００１】
本発明は、光走査装置及び該光走査装置を備えた画像形成装置に関する。
【背景技術】
【０００２】
複写機やプリンタ等の電子写真方式を採用する画像形成装置は、感光体に静電潜像を形成するための光を出射する光走査装置と、感光体に形成された静電潜像をトナー像として現像するための現像装置とを備えている。
【０００３】
光走査装置は、ポリゴンミラーや結像レンズ等を収容するハウジングを有している。ハウジングには、光が出射する出射口が形成されている。出射口は、所定方向に延びる開口部からなる。出射口は、防塵ガラス等の透明カバー部によって閉塞されている。
【０００４】
ところで、防塵ガラスの表面にトナー等による汚れや埃等が付着すると、光走査装置の光学特性が低下し、画像不良が生じるという問題がある。これに対し、特許文献１には、防塵ガラスの表面を定期的に清掃する清掃機構が開示されている。
【０００５】
特許文献１の清掃機構は、防塵ガラスの延設方向と同方向に延びるスクリュー軸と、スクリュー軸に係合して清掃部材を保持する保持部材とを有している。
【０００６】
保持部材は、スクリュー軸に外挿される円筒部と、円筒部からスクリュー軸に交差する方向に延びると共に清掃部材を保持するアーム部とを有している。円筒部の内周面には、スクリュー軸の外周面に形成された溝部に係合する螺旋状の突起部（係合部）が形成されている。スクリュー軸の外周面の溝部と円筒部の内周面の突起部とが係合しながらスクリュー軸が回転することで、保持部材がスクリュー軸に沿って移動するようになっている。保持部材は、モーターが正回転及び逆回転することにより所定の移動経路を往復移動する。これにより、清掃部材が透明カバー部の表面に当接しながら往復移動し、透明カバー部の表面が清掃部材によって清掃される。
【先行技術文献】
【特許文献】
【０００７】
【特許文献１】特開２０１１−１５８５６６号公報
【発明の概要】
【発明が解決しようとする課題】
【０００８】
しかしながら、上記特許文献１に示す光走査装置では、スクリュー軸の外周面に形成された溝部と保持部材の係合部との間の隙間（バックラッシともいう）等に起因して、保持部材におけるスクリュー軸に直交する方向の一側端部が他側端部よりも進行方向の前側に先行してしまう。換言すると、保持部材が、スクリュー軸の直交方向に対して傾いてしまう。このため、保持部材が移動経路の移動端に達したときに、保持部材における先行する側とは反対側の端部（他側端部）が透明カバー部の端部まで到達できないという問題がある。この結果、透明カバー部の端部には清掃部材による清掃が行われない拭き残し領域が生じて、光走査装置の光学特性が低下するという問題を招く。
【０００９】
本発明は、かかる点に鑑みてなされたものであり、その目的とするところは、清掃部材を保持する保持部材が移動経路の移動端に達したときに、清掃部材を透明カバー部の端部全体に確実に到達させて、透明カバー部の端部に拭き残し領域が生じるのを防止しようとすることにある。
【課題を解決するための手段】
【００１０】
本発明に係る光走査装置は、所定方向に延びる光の出射口を有するハウジングと、上記出射口を閉塞する透明カバー部と、上記透明カバー部に沿って上記所定方向に延びるように配置され、周面に螺旋状の溝部が形成された回転自在なスクリュー軸と、上記スクリュー軸の溝部に係合する係合部が形成され、該スクリュー軸が回転することにより該スクリュー軸に沿って所定の移動経路を往復移動するように構成された保持部材と、上記保持部材に保持され、該保持部材が移動することによって上記透明カバー部の表面を清掃する清掃部材とを備え、上記保持部材は、上記所定の移動経路の両端部を除く中間部を移動しているときには、上記スクリュー軸に直交する方向の一側端部が他側端部よりも進行方向の前側に位置するように構成されており、上記所定の移動経路の移動端には、上記保持部材の進行方向前側の面の所定箇所に当接することで、該当接した部分を支点として該保持部材を回転させて、該保持部材の一側端部と他側端部との上記進行方向における位置ずれ量を低減する当接支点部が設けられている。
【発明の効果】
【００１１】
本発明によれば、清掃部材を保持する保持部材が移動経路の移動端に達したときに、清掃部材を透明カバー部の端部全体に確実に到達させて、透明カバー部の端部に拭き残し領域が生じるのを防止することができる。
【図面の簡単な説明】
【００１２】
【図１】図１は、実施形態における清掃機構を有する光走査装置を搭載した画像形成装置を示す概略構成図である。
【図２】図２は、光走査装置の外観斜視図である。
【図３】図３は、光走査装置のハウジング本体内の内部構造を示す概略図である。
【図４】図４は、自動清掃部を示す概略平面図である。
【図５】図５は、図４のＶ方向矢視図である。
【図６】図６は、図５のVI−VI線断面図である。
【図７】図７は、スクリュー軸が正回転することにより保持部材が後側から前側に移動している状態を示す平面図である。
【図８】図８は、スクリュー軸が逆回転することにより保持部材が前側から後側に移動している状態を示す平面図である。
【図９】図９は、保持部材の移動経路の前側端において保持部材の傾きが補正される過程を示す説明図である。
【図１０】図１０は、保持部材の移動経路の後側端において保持部材の傾きが補正される過程を示す説明図である。
【図１１】図１１は、他の実施形態の光走査装置の当接支点部を示す概略平面図である。
【図１２】図１２は、従来例の光走査装置において保持部材が移動経路の前側端に位置する状態を示す平面図である。
【図１３】図１３は、従来例の光走査装置において保持部材が移動経路の後側端に位置する状態を示す平面図である。
【図１４】図１４は、他の実施形態を示す図４相当図である。
【発明を実施するための形態】
【００１３】
以下、本発明の実施形態を図面に基づいて詳細に説明する。尚、本発明は、以下の実施形態に限定されるものではない。
【００１４】
＜実施形態＞
図１は、この発明の実施形態に係る画像形成装置１の概略構成図を示す。以下の説明において、前側、後側は、画像形成装置１の前側、後側（図１の紙面垂直方向の手前側、奥側）を意味し、左側、右側は、画像形成装置１を前側から見たときの左側、右側を意味するものとする。
【００１５】
上記画像形成装置１は、タンデム方式のカラープリンターであって、箱形のケーシング２内に画像形成部３を備えている。この画像形成部３は、ネットワーク接続等がされたコンピューター等の外部機器から伝送されてくる画像データーに基づき画像を記録紙Ｐに転写形成する。画像形成部３の下側には、レーザー光を照射する光走査装置４が配置され、画像形成部３の上側には、転写ベルト５が配置されている。光走査装置４の下側には、記録紙Ｐを貯留する用紙貯留部６が配置され、用紙貯留部６の左側には、手差し給紙部７が配置されている。転写ベルト５の右側且つ上側には、記録紙Ｐに転写形成された画像に定着処理を施す定着部８が配置されている。符号９は、ケーシング２上部に配置され、定着部８で定着処理が施された記録紙Ｐを排出する用紙排出部である。
【００１６】
画像形成部３は、転写ベルト５に沿って一列に配置された４つの画像形成ユニット１０を備えている。これら画像形成ユニット１０は、感光体ドラム１１を有している。各感光体ドラム１１の直下には、帯電器１２が配置され、各感光体ドラム１１の左側には、現像装置１３が配置され、各感光体ドラム１１の直上には、一次転写ローラー１４が配置され、各感光体ドラム１１の右側には、感光体ドラム１１の周面をクリーニングするクリーニング部１５が配置されている。
【００１７】
各感光体ドラム１１は、帯電器１２によって周面が一定に帯電され、当該帯電後の感光体ドラム１１の周面に対して、上記コンピューター等から入力された画像データーに基づく各色に対応したレーザー光が光走査装置４から照射され、各感光体ドラム１１の周面に静電潜像が形成される。かかる静電潜像に現像装置１３から現像剤が供給されて、各感光体ドラム１１の周面にイエロー、マゼンタ、シアン、又はブラックのトナー像が形成される。これらトナー像は、一次転写ローラー１４に印加された転写バイアスにより転写ベルト５にそれぞれ重ねて転写される。
【００１８】
符号１６は、定着部８の下側に転写ベルト５と当接した状態で配置された二次転写ローラーであり、用紙貯留部６又は手差し給紙部７から用紙搬送路１７を搬送される記録紙Ｐを二次転写ローラー１６と転写ベルト５とで挟持し、二次転写ローラー１６に印加された転写バイアスにより転写ベルト５上のトナー像を記録紙Ｐに転写するようになっている。
【００１９】
定着部８は、加熱ローラー１８と加圧ローラー１９とを備え、これら加熱ローラー１８と加圧ローラー１９とにより記録紙Ｐを挟持して加圧しながら加熱し、記録紙Ｐに転写されたトナー像を記録紙Ｐに定着させるようになっている。定着処理後の記録紙Ｐは、用紙排出部９に排出される。符号２０は、両面印刷時に定着部８から排出された記録紙Ｐを反転させるための反転搬送路である。
【００２０】
−光走査装置の詳細−
図２は、光走査装置４の外観斜視図である。光走査装置４は、密閉箱状のハウジング４０を備えている。ハウジング４０は、天井側が開放する有底箱状のハウジング本体４１と、ハウジング本体４１の天井側を閉塞する蓋部材４２とを備えている。
【００２１】
図３は、光走査装置４のハウジング４０から蓋部材４２を取り外した状態を示す断面図である。ハウジング本体４１の底壁部の中央部には、ポリゴンミラー４３と、該ポリゴンミラー４３を回転駆動する駆動モーター４４とが配置されている。ポリゴンミラー４３は、光源から出射されたマゼンタ（Ｍ）、シアン（Ｃ）、イエロー（Ｙ）及びブラック（Ｋ）の各カラーに対応する静電潜像書き込み用のレーザー光を偏向走査させる。ハウジング本体４１の底壁部には、このポリゴンミラー４３を挟んでその両側に２つずつ、合計４つの走査光学系Ｓが配置されている。４つの走査光学系Ｓは、マゼンタ（Ｍ）、シアン（Ｃ）、イエロー（Ｙ）及びブラック（Ｋ）の各カラーに対応するレーザー光を各感光体ドラム１１の表面へと導く。これらの走査光学系Ｓは、例えばｆθレンズや反射ミラー等により構成されている。
【００２２】
図２に示すように、蓋部材４２には、各走査光学系Ｓからそれぞれ出射されるレーザー光が通過する一対一組の出射口４５が二組（合計で４つ）形成されている。各出射口４５は、主走査方向（前後方向）に延びる矩形状の開口部からなる。各出射口４５は、左右方向に並んで互いに平行に形成されている。各出射口４５は、光を透過する透明な防塵ガラス（透明カバー部）４６によって覆われている。各出射口４５を覆う各防塵ガラス４６は、主走査方向に長い矩形板状に形成されている。これら各防塵ガラス４６の表面は、自動清掃機構５０によって自動的に清掃される。自動清掃機構５０は、第一自動清掃部５０Ａと第二自動清掃部５０Ｂとを有している。第一自動清掃部５０Ａと第二自動清掃部５０Ｂとは、ハウジング４０の長手方向(左右方向)においてその中央位置を挟んで対称に配置されている。第一自動清掃部５０Ａは、マゼンタ（Ｍ）、シアン（Ｃ）のレーザー光が通過する２つの防塵ガラス４６を清掃する。第二自動清掃部５０Ｂは、イエロー（Ｙ）、ブラック（Ｋ）のレーザー光が通過する２つの防塵ガラス４６を清掃する。第一自動清掃部５０Ａと第二自動清掃部５０Ｂとは、共通の1つの駆動モーター６０（図１参照）により駆動される。本実施形態では、駆動モーター６０は、光走査装置４とは別体で構成されている。
【００２３】
第一自動清掃部５０Ａと第二自動清掃部５０Ｂとは同じ構成を有しているので、以下では、図４及び図５を参照しながら第二自動清掃部５０Ｂについてのみ説明を行い、第一自動清掃部５０Ａの説明は省略する。
【００２４】
第二自動清掃部５０Ｂは、一対の出射口４５の間に配置されるスクリュー軸５２と、スクリュー軸５２により往復駆動される保持部材５３と、保持部材５３により保持された一対の清掃部材５１とを有している。
【００２５】
スクリュー軸５２は、前後方向に延びるように配置されている。スクリュー軸５２の軸方向（前後方向）の両端部は、ハウジング４０の蓋部材４２に形成された軸受部（図示省略）に回動可能に支持されている。スクリュー軸５２の一端部には駆動ギア５５（図２にのみ示す）が取付けられている。この駆動ギア５５は、ハウジング本体４１の側壁面に支持されたアイドルギア５６に噛合している。このアイドルギア５６は、光走査装置４が画像形成装置１の所定位置に組み付けられることで、画像形成装置１内に設けられたギア機構を介して駆動モーター６０に連結される。スクリュー軸５２の外周面には螺旋状溝５２ａ（図６参照）が形成されている。この螺旋状溝５２ａは、スクリュー軸５２の軸方向の全体に亘って形成されている。
【００２６】
上記保持部材５３は、スクリュー軸５２に外挿される筒状ナット部５３ａと、筒状ナット部５３ａに連結された第一保持板部５３ｂ及び第二保持板部５３ｃとを有している。
【００２７】
筒状ナット部５３ａは略円筒状に形成されており、その内周面には螺旋状溝５２ａに係合する係合突起部５３ｄが形成されている。係合突起部５３ｄは、筒状ナット部５３ａの内周面から径方向内側に突出している。係合突起部５３ｄは、筒状ナット部５３ａの軸心回りに螺旋状に形成されている。
【００２８】
第一保持板部５３ｂは、筒状ナット部５３ａの上端部から左側（一方の出射口４５側）に延びており、第二保持板部５３ｃは、筒状ナット部５３ａの上端部から右側（他方の出射口４５側）に延びている。第一保持板部５３ｂ及び第二保持板部５３ｃは、上側から見て左右方向に延びる同一直線上に配置されている。第一保持板部５３ｂの基端から先端までの長さは、第二保持板部５３ｃの基端から先端までの長さよりも短い。第一保持板部５３ｂ及び第二保持板部５３ｃの下面には、それぞれ上記清掃部材５１が取付けられている。第一保持板部５３ｂの前側面及び後側面にはそれぞれ圧縮コイルバネ６０ｆ,６０ｒ（図７及び図８にのみ示す）が取付けられている。圧縮コイルバネ６０ｆ,６０ｒは、保持部材５３が移動経路Ａの移動端に達した際に、保持部材５３を押し返してその筒状ナット部５３ａをスクリュー軸５２の螺旋状溝５２ａに確実に係合させる機能を有している。
【００２９】
各清掃部材５１は、弾性を有するブレード部材（例えばシリコンパッド）によって形成されている。各清掃部材５１は、各自動清掃部５０Ａ,５０Ｂが清掃対象とする一対の防塵ガラス４６に対応する位置に設けられている。すなわち、各清掃部材５１は、平面視で各防塵ガラス４６にオーバーラップする位置に設けられている。各清掃部材５１は、保持板部５３ｂ,５３ｃと防塵ガラス４６との間に挟まれて厚さ方向に軽荷重で圧縮されている。これにより、各清掃部材５１が防塵ガラス４６に対して所定の押圧力で押し付けられる。
【００３０】
上記自動清掃機構５０の作動に際しては、上記駆動モーター６０によりスクリュー軸５２が正逆両方向に回転駆動される。これにより、保持部材５３が所定の移動経路Ａを往復移動する。この移動経路Ａは前後方向に延びる直線状の移動経路である。
【００３１】
移動経路Ａは、前後方向において対向する前側壁部４２ａ及び後側壁部４２ｂ（図９及び図１０参照）と、左右方向において対向する左側壁部４２ｃ及び右側壁部４２ｄとに囲まれている。各壁部４２ａ〜４２ｄは、蓋部材４２の上面から垂直に起立している。前側壁部４２ａ及び後側壁部４２ｂには、スクリュー軸５２を回動可能に支持する軸受部（図示省略）が形成されている。左側壁部４２ｃ及び右側壁部４２ｄは、保持部材５３の長手方向の両端部を下方から支持するとともに保持部材５３の前後方向の移動をガイドしている。
【００３２】
図７及び図８はそれぞれ、スクリュー軸５２が正回転及び逆回転している様子を示している。いずれの場合にも、保持部材５３は、スクリュー軸５２に直交する方向に対して１０〜３０°傾いている。すなわち、保持部材５３は、その左側端部が右側端部よりも進行方向の前側に先行するように傾斜している。換言すると、保持部材５３は、第一保持板部５３ｂが該第二保持板部５３ｃよりも進行方向の前側に位置するように傾斜している。これは、保持部材５３の駆動が、スクリュー軸５２の外周面に形成された螺旋状溝５２ａと保持部材５３の筒状ナット部５３ａに形成された係合突起部５３ｄとの係合により行われていることに起因している。このような駆動形態を採用する限り、保持部材５３が、スクリュー軸５２の螺旋状溝５２ａと係合突起部５３ｄとの嵌合精度に応じて傾いてしまう。
【００３３】
このため、従来の光走査装置４では、保持部材５３が移動端に達したときに保持部材５３における先行側とは反対側の端部が防塵ガラス４６の端部に到達することがでないという問題があった。このため、防塵ガラス４７の前端部及び後端部には、清掃部材５１による清掃が実行されない拭き残し領域Ｒ（図１２及び図１３参照）が生じて、光走査装置４の光学性能の低下を招く虞があった。
【００３４】
本実施形態では、この問題を解消するべく、保持部材５３の移動端にある前側壁部４２ａ及び後側壁部４２ｂにそれぞれ、当接支持部としての前側突出部４２ｅ及び後側突出部４２ｆを形成するようにした。具体的には、前側突出部４２ｅは、図７に示すように前側壁部４２ａの側面から後側に突出しており、後側突出部４２ｆは後側壁部４２ｂの側面から前側に突出している。両突出部４２ｅ,４２ｆは共に矩形柱状に形成されている。前側突出部４２ｅの先端は、上側から見て（防塵ガラス４６に垂直な方向から見て）、防塵ガラス４６の前側端縁の延長線上よりも前側に位置している。同様に、後側突出部４２ｆの先端は、上側から見て、防塵ガラス４６の後側端縁の延長線上よりも後側に位置している。両突出部４２ｅ，４２ｆは、保持部材５３が移動端（前側端及び後側端）に達したときに、保持部材５３の進行方向前側面の所定箇所に当接するように配置されている。この所定箇所は、保持部材５３におけるスクリュー軸５２に直交する方向（左右方向）の中央位置よりも左側に位置していると共に、スクリュー軸５２よりも左側に位置している。
【００３５】
図９及び図１０は、前側突出部４２ｅ及び後側突出部４２ｆにより保持部材５３の傾きが補正される様子を示した概略図である。図９に示すように、保持部材５３が移動経路Ａの前側端に達した際には、先ず、保持部材５３の進行方向前側面に前側突出部４２ｅが当接する（細い二点鎖線参照）。この状態で、スクリュー軸５２より保持部材５３に対してさらに推進力が付加されることで、保持部材５３は前側突出部４２ｅとの当接部を支点として図の反時計回り方向（太矢印の方向）に回転する。この結果、保持部材５３の左側端部と右側端部との進行方向の位置ずれ量が低減されて、保持部材５３がスクリュー軸５２に対して直交する状態で停止する。したがって、保持部材５３の右側端部を防塵ガラス４６の前端部まで確実に到達させることができる。よって、従来のように防塵ガラス４６の前端部に清掃部材５１による拭き残し領域Ｒ（図１２参照）が生じることもない。尚、保持部材５３の停止位置は、防塵ガラス４６の前側端縁よりも前側である。防塵ガラス４６の前側には凹部が形成されており、清掃部材５１により収集された埃等はこの凹部に落とされる。したがって、防塵ガラス４６に埃等が付着したまま残るのを防止することができる。
【００３６】
同様に保持部材５３が移動経路Ａの後側端に達した際には、図１０に示すように、保持部材５３の進行方向前側の面に後側突出部４２ｆが当接し、この状態で保持部材５３がスクリュー軸５２より推進力を受けることで、保持部材５３が後側突出部４２ｆとの当接部を支点として図の時計回り方向（太矢印の方向）に回転し、この結果、保持部材５３の左側端部と右側端部との進行方向の位置ずれ量が低減されて、保持部材５３がスクリュー軸５２に対して直交する状態で停止する。したがって、従来のように防塵ガラス４６の後端部に清掃部材５１による拭き残し領域Ｒ（図１３参照）が生じることもない。尚、保持部材５３の停止位置は、防塵ガラス４６の後側端縁よりも後側である。防塵ガラス４６の後側には前側と同様に埃等を落とすための凹部が形成されているので、防塵ガラス４６に埃等が付着したまま残るのを防止することができる。
【００３７】
しかも本実施形態では、保持部材５３における前側突出部４２ｅ又は後側突出部４２ｆとの当接箇所（所定箇所）は、保持部材５３におけるスクリュー軸５２に直交する方向（左右方向）の中央位置よりも左側、つまり保持部材５３の左右両側のうち先行する側に位置している。これにより、保持部材５３を前側突出部４２ｅ又は後側突出部４２ｆを支点として回動させ易くなる。よって、前側突出部４２ｅ及び後側突出部４２ｆによる保持部材５３の傾き補正効果をより一層確実に得ることができる。
【００３８】
また、前側突出部４２ｅ及び後側突出部４２ｆは、スクリュー軸５２よりも左側（保持部材５３の左右両側のうち先行する側）に位置している。これによれば、スクリュー軸５２より保持部材５３に付与される推進力を、保持部材５３の傾きを補正する向きのモーメントに確実に変換することができる。よって、前側突出部４２ｅ及び後側突出部４２ｆによる保持部材５３の傾き補正効果を可及的に高めることができる。
【００３９】
＜他の実施形態＞
上記実施形態では、前側突出部４２ｅ及び後側突出部４２ｆが矩形柱状に形成されている例を示したが、これに限ったものではなく、例えば図１１に示すように、各突出部４２ｅ，４２ｆの先端部（保持部材５３に対向する面）を保持部材５３側に突となる曲面状に形成するようにしてもよい。この曲面形状としては、球面状や円筒状が考えられるが、各突出部４２ｅ，４２ｆと保持部材５３との接触面圧を低く抑える観点から円筒状であることがより好ましい。
【００４０】
上記実施形態では、当接支点部としての前側突出部４２ｅ及び後側突出部４２ｆを、保持部材５３の移動端にある前側壁部４２ａ及び後側壁部４２ｂに形成するようにしているが、これに限ったものではない。すなわち、この前側突出部４２ｅ及び後側突出部４２ｆを廃止する代わりに、図１４に示すように、保持部材５３の前側面及び後側面に当接支点部としての前側突出部５３ｅ及び後側突出部５３ｆをそれぞれ形成するようにしてもよい。スクリュー軸５２に対する前側突出部５３ｅ及び後側突出部５３ｆの位置関係は、上記実施形態における前側突出部４２ｅ及び後側突出部４２ｆの位置関係と同様にすればよい。これにより、上記実施形態と同様の作用効果を得ることができる。尚、この実施形態を採用した場合、前側突出部５３ｅ及び後側突出部５３ｆの先端部（前側壁部４２ａ及び後側壁部４２ｂに対向する面）を各壁部４２ａ，４２ｂ側に突となる曲面状に形成するようにしてもよい。
【００４１】
また、本発明は上記実施形態１〜３に限定されるものでなく、本発明には、これらの実施形態１〜３を適宜組み合わせた構成が含まれる。
【産業上の利用可能性】
【００４２】
以上説明したように、本発明は、光走査装置及び該光走査装置を備えた画像形成装置について有用である。
【符号の説明】
【００４３】
Ａ     所定の移動経路
１     画像形成装置
４     光走査装置
４０   ハウジング
４２ａ 前側壁部（壁部、被当接部材）
４２ｂ 後側壁部（壁部、被当接部材）
４２ｅ 前側突出部（当接支点部）
４２ｆ 後側突出部（当接支点部）
４５   出射口
４６   防塵ガラス（透明カバー部）
５１   清掃部材
５２   スクリュー軸
５２ａ 螺旋状溝（溝部）
５３   保持部材（被当接部材）
５３ｄ 係合突起部（係合部）
【図１】
0006418405.tif 000002
【図２】
0006418405.tif 000003
【図３】
0006418405.tif 000004
【図４】
0006418405.tif 000005
【図５】
0006418405.tif 000006
【図６】
0006418405.tif 000007
【図７】
0006418405.tif 000008
【図８】
0006418405.tif 000009
【図９】
0006418405.tif 000010
【図１０】
0006418405.tif 000011
【図１１】
0006418405.tif 000012
【図１２】
0006418405.tif 000013
【図１３】
0006418405.tif 000014
【図１４】
0006418405.tif 000015